(57)【要約】      （修正有）【課題】その月やその週に行うべき行事などを見過ごすことが極端に少なくなるようなカレンダー、並びにかかるカレンダーを含む手帖、ダイアリー（日記帳）、家計簿、雑誌を含む印刷物を提供する。【解決手段】１週間を示す各行の左端又は右端にその週に行うべき行事や行為をあらかじめ印刷した部分、すなわちトゥードゥーリスト１４を設け、分かり易く表示した。トゥードゥーリストの各項目にはチェックボックス１６を設けることにより、ユーザーがチェックを記入でき、行事や行為をうっかり忘れることを効果的に防止できる。また各日ごとに行事又は行為を記載する欄を設け、それぞれにチェック記入欄を設けることができる。【選択図】図１
0003152511.tif 000002
【実用新案登録請求の範囲】
【請求項１】
1枚の用紙に、各週の日付が横1行に記載され、1ヶ月分の複数行の日付が縦方向に構成された部分が少なくとも１つあり、前記用紙が複数枚重ねて綴じられているカレンダーにおいて、
前記各週の日付が記載された行の左端又は右端に、その週に行うべき行事を含む行為の内容を記載したトゥードゥーリストを設けたことを特徴とするカレンダー。
【請求項２】
前記トゥードゥーリストの各記載事項の左端又は右端に、ユーザーがチェックを記入するための、チェック記入欄を設けたことを特徴とする請求項１に記載のカレンダー。
【請求項３】
前記日付が記載された部分の近傍にその日の属性を記載したことを特徴とする請求項１又は2に記載のカレンダー。
【請求項４】
前記日付が記載された1週の部分の行と次週の日付が記載された1週の部分の行の間であって、前記各日付の記載部分の下方又は上方に、その日に行うべき行事又は行為を記載したことを特徴とする請求項１から３のいずれか１つに記載のカレンダー。
【請求項５】
前記その日に行うべき行事又は行為を記載した部分の左端又は右端に、ユーザーがチェックを記入するための、チェック記入欄を設けたことを特徴とする請求項４に記載のカレンダー。
【請求項６】
請求項１から５のいずれか１つに記載のカレンダーを有する、手帖、ダイアリー、家計簿、雑誌を含む印刷物。
【考案の詳細な説明】
【技術分野】
【０００１】
本考案は、カレンダーに関し、特に１ヶ月を１週ごとの複数の行で構成したカレンダーの改良に関し、またかかるカレンダーを含む印刷物に関する。
【背景技術】
【０００２】
これまで様々なカレンダーが開発され、実用化されてきた。カレンダーを単に、日や曜日の確認のために用いるのみならず、その月の特定の日に行われる行事や、特定の日に行うべき行為の名称、あるいは歳時記を分かり易く表示したものも知られている。かかるカレンダーでは、その月の特定の日に行われる行事や、特定の日に行うべき行為の名称、あるいは歳時記を、カレンダーの最初又は最後の週の行の空きスペースを利用して印刷していた。図３は、かかる従来のカレンダーの一部を示す図である。図３に示されるように、従来のカレンダーでは、例えば第１週の行に空きスペースがあると、これを利用して行事欄や歳時記欄を設け、１月の場合であれば、「１日  元旦  年賀  初詣」と記載したり、その月の誕生石が「ガーネット」であることを表示したりしている。なお、下記の特許文献１には、各日にちに対応した領域に行事を表示した構成が開示されている。
【先行技術文献】
【特許文献】
【０００３】
【特許文献１】特開２００６−１５０６２１号公報（段落００１５）
【考案の概要】
【考案が解決しようとする課題】
【０００４】
その月全体に関連する歳時記欄は、まとめてあっても特に問題はないが、行事欄にその月の所定日と、それに対応した行事名をまとめて記載してあると、つい見落としてしまったりしがちであり、見落としを防止するためには、毎日のように行事欄を確認しなければならなかった。また、行事のうち、自分や自分の家族に関係のある事項を実行したか否かを記入するためには、各ユーザーが行事欄の行事名を○で囲んだり、あるいは行事名を示す文字列に横線を引いたりしなければならなかった。また、上記特許文献１に示されるように各日にちに対応する領域に行事を記載した場合、特許文献１のようにわずか数日のみを示す特殊なカレンダーでは、行事を見落としにくいかもしれないが、１週間を１行に示し、１ヶ月分を複数行で示す通常のカレンダーの場合は、個々の日にちの領域にのみ行事を記載しても、ユーザーがこれらを見落とさないということは難しかった。
【０００５】
したがって、本考案はその週に行うべき行事などを見過ごすことが極端に少ないカレンダー、並びにかかるカレンダーを有する手帖、ダイアリー（日記帳）、家計簿、雑誌を含む印刷物を提供することを目的とする。
【課題を解決するための手段】
【０００６】
上記目的を達成するため、本考案では各週の日付が記載された行の左端又は右端に、その週に行うべき行事を含む行為の内容を記載したトゥードゥーリストを設けたものである。
【０００７】
すなわち本考案によれば、1枚の用紙に、各週の日付が横1行に記載され、1ヶ月分の複数行の日付が縦方向に構成された部分が少なくとも１つあり、前記用紙が複数枚重ねて綴じられているカレンダーにおいて、
前記各週の日付が記載された行の左端又は右端に、その週に行うべき行事を含む行為の内容を記載したトゥードゥーリストを設けたことを特徴とするカレンダーが提供される。
【０００８】
また、前記トゥードゥーリストの各記載事項の左端又は右端に、ユーザーがチェックを記入するための、チェック記入欄を設けたことは、本考案の好ましい態様である。
【０００９】
また、前記日付が記載された部分の近傍にその日の属性を記載したことは、本考案の好ましい態様である。
【００１０】
また、前記日付が記載された１週の部分の行と次週の日付が記載された１週の部分の行の間であって、前記各日付の記載部分の下方又は上方に、その日に行うべき行事又は行為を記載したものであることは、本考案の好ましい態様である。
【００１１】
さらに、前記その日に行うべき行事又は行為を記載した部分の左端又は右端に、ユーザーがチェックを記入するための、チェック記入欄を設けたことは、本考案の好ましい態様である。
【００１２】
さらに、上記カレンダーを有する、手帖、ダイアリー（日記帳）、家計簿、雑誌を含む印刷物は、本考案の好ましい態様である。
【考案の効果】
【００１３】
本考案によれば、トゥードゥーリストを各週を示す各行の左端又は右端に設けたので、カレンダーを使用するユーザーがその週に行うべき行事や行為を一目して把握することができ、見過ごすことが極端に少なくなる。また、トゥードゥーリスト中の各項目にチェックボックスを設けることにより、ユーザーはチェックを記入することで、完了した事項と未完了事項を明確に把握することができるので、行事や行為をうっかり忘れてしまうという事態を効果的に防止することができる。また、行事や行為をトゥードゥーリストにまとめてあらかじめ印刷しておくことにより、第１週や最終週の空きスペースを有効利用することができ、例えば、前月と翌月のカレンダーを小さく表示したり、二十四節気や七十二候を表示することができる。
【図面の簡単な説明】
【００１４】
【図１】本考案に係るカレンダーの好ましい実施の形態における１月を示す用紙部分を示す平面図である。
【図２】図１に示された用紙部分の部分拡大図である。
【図３】従来のカレンダーの一例を示す平面図である。
【考案を実施するための形態】
【００１５】
以下、図面を参照して本考案の好ましい実施の形態について説明する。図１は本考案に係るカレンダーの好ましい実施の形態の１月分のページを示す平面図である。このカレンダーは、月ごとにめくるタイプのものであるが、本考案はこれに限定されるものでなく、複数月分が１枚の用紙に記載されたカレンダーにも適用可能である。
【００１６】
図１に示すカレンダー１０は、図示省略の表紙の下に１月から１２月までをそれぞれ示す１２枚の用紙が重ねて綴じてある形式のものであり、図１は、そのうち、１月を示す用紙に表示された印刷部分の全体を示す図である。このカレンダー１０は、１週間を横１行で表し、月によって４行から６行で１ヶ月を表す構成のものである。すなわち、日を示す数字が１週間分横に並んで１行を構成し、かかる行が複数順次下方に配列され、全体として複数行からなる１ヶ月分のカレンダーが表示される。なお、カレンダーの上部には曜日を表す、「日」、「月」、「火」・・・・・・「土」が表示されている。この曜日を示す文字と、その下方に複数行の配列として構成される部分を１ヶ月分カレンダー本体部１２と呼ぶ。図２は、図１の左上部付近を拡大して示した図である。なお、この実施の形態では、日曜日から土曜日までを横１列に配しているが、ビジネス用カレンダーでは、月曜日から日曜日までを横１列に配することもできる。
【００１７】
１ヶ月分カレンダー本体部１２中のカレンダーを構成する各行の左端には、トゥードゥーリスト（To Do リスト）１４が設けられている。トゥードゥーリスト１４は、その行の週に行うべき行事を含む行為などを箇条書き的に記載したものである。各個条書き部の左端には、チェック記入欄として機能する四角のチェックボックス１６が設けられている。なお、行うべき行事というより、その日が何の日であるか、その日の性質、すなわち属性などを表す文言や図柄など、当該日を表す数字の近傍に配することができる。すなわち、１月の例であれば、４日のところに、「官庁御用始め」や、「三りんぼう」を記載することができる。この実施の形態では、チェックリストは、各週の行の左端に設けられているが、本考案は、これに限らず、チェックリストを各週の行の右端に設けることもできる。さらにチェックリストの種類により、左端と右端の双方にそれぞれ設けてもよい。
【００１８】
トゥードゥーリスト１４は、行うべき行事や行為を週単位でリスト化したものであり、２０１０年１月のカレンダーの例では、例えば各週ごとに下記のような内容が記載されている。
【００１９】
【表１】
0003152511.tif 000003
【００２０】
日付が記載された1週の部分の行と次週の日付が記載された1週の部分の行の間であって、各日付の記載部分の下方に、その日に行うべき行事又は行為を記載することもできる。図２の例では、１月１０日から始まる行とその下の週の行の間に各日ごとの行事又は行為を記載する欄１８が設けられ、具体的には１月１１日の下方に「鏡開きでお汁粉を食べる」と記載され、その文字列の左端には、ユーザーがチェックを記入するための、チェック記入欄２０を設けている。なお、上記各日ごとの行事又は行為を記載する欄１８は、該当する週の上方に設けてもよいし、チェック記入欄２０は行事又は行為を記載した文字列の右端に設けることもできる。
【産業上の利用可能性】
【００２１】
以上説明したように本考案では、カレンダーの各週を表示する行の左端又は右端にトゥードゥーリストを設けたので、その週に行うべき行事や行為を見落とすことが極端に少なくなり、ユーザーにとって使い勝手のよいものとなる。したがって、本考案は、１週間を１行で表した形式のあらゆる形式のカレンダーに利用可能であり、カレンダー製作・販売の産業や、カレンダー印刷の産業において、あるいはカレンダーを含む手帳、ダイアリー（日記帳）、家計簿、雑誌など印刷物の製作販売の産業において好適に利用可能である。
【符号の説明】
【００２２】
１０  カレンダー
１２  １ヶ月分カレンダー本体部
１４  トゥードゥーリスト
１６  チェックボックス
１８  各日ごとの行事又は行為を記載する欄
２０  チェック記入欄
【図１】
0003152511.tif 000004
【図２】
0003152511.tif 000005
【図３】
0003152511.tif 000006
【手続補正書】
【提出日】平成21年6月3日(2009.6.3)
【手続補正１】
【補正対象書類名】実用新案登録請求の範囲
【補正対象項目名】請求項６
【補正方法】変更
【補正の内容】
【請求項６】
請求項１から５のいずれか１つに記載のカレンダーを有する、手帖、ダイアリー、家計簿、又は雑誌。